(57)【要約】【課題】両面テープを確実に密着させて防水性を確保する。【解決手段】正面側キャビネット３の周縁に沿って正面側キャビネット３及び背面側キャビネット４を接着する両面テープ８が貼り付けられるテープ貼付部９を設ける。また、その外周側に背面側キャビネット４の周壁先端４ｂに対向する平坦部３ｃを設ける。そして、正面側キャビネット３と背面側キャビネット４とを貼り合わせた状態で周壁先端４ｂと平坦部３ｃとの間に両面テープ８の必要圧縮厚さよりも大きな隙間Ｃを形成する。【選択図】図１
2014032587.tif 000002
【特許請求の範囲】
【請求項１】
表示部が収容される正面側キャビネットと、
上記正面側キャビネットを背面側から覆う背面側キャビネットと、
上記正面側キャビネットの周縁に沿って設けられ、該正面側キャビネット及び上記背面側キャビネットを接着する両面テープが貼り付けられるテープ貼付部と、
上記正面側キャビネットの周縁に沿って上記テープ貼付部の外周側に設けられ、上記背面側キャビネットの周壁先端に対向する平坦部とを備え、
上記正面側キャビネットと上記背面側キャビネットとを貼り合わせた状態で上記周壁先端と上記平坦部との間に上記両面テープを密着可能な必要圧縮厚さよりも大きな隙間が形成されている
ことを特徴とする携帯端末。
【請求項２】
請求項１に記載の携帯端末において、
上記平坦部の内周側は、背面側へ隆起して正面側段差部が形成され、
上記背面側キャビネットの周壁先端における上記正面側段差部に対向する位置は一段低く凹陥されて該正面側段差部に嵌合可能な背面側段差部が設けられている
ことを特徴とする携帯端末。
【請求項３】
請求項１又は２に記載の携帯端末において、
正面視で上記両面テープの貼付位置は、表示部のディスプレイユニットとずれた位置に設定されている
ことを特徴とする携帯端末。
【発明の詳細な説明】
【技術分野】
【０００１】
本発明は、携帯端末に関し、特にその筐体の貼付構造に関する。
【背景技術】
【０００２】
従来より、携帯端末の筐体は、表示部が収容される正面側キャビネットと、この正面側キャビネットを背面側から覆う背面側キャビネットとを付き合わせて固定する方法がとられている。具体的には、一方のキャビネットに防水パッキンを設け、この防水パッキンを他方のキャビネットの平坦面で押さえ付けてビスで固定したり、両面テープで固定したりすることが知られている。
【０００３】
近年、薄型化、軽量化、画面の拡大、コストダウンの観点でビスを用いずに防水性のある両面テープを使用することが増えてきている。
【０００４】
例えば、特許文献１の携帯電話機の表示ユニットは、金属板が樹脂部にインサート成形された表示筐体と、防水性の両面テープを介して表示筐体に水密に取り付けられることにより回路基板を覆うリアパネルとを有する。
【先行技術文献】
【特許文献】
【０００５】
【特許文献１】特開２０１２−９５１５２号公報
【発明の概要】
【発明が解決しようとする課題】
【０００６】
しかしながら、特許文献１のような従来の携帯端末では、両面テープを確実に押さえ付けて防水性を確保しなければならない。この両面テープの圧縮方向には通常十分なクリアランスが設けられておらず、両面テープを押さえ付ける前に突き合わせ部分が先に当たってしまい、防水が不十分になるという不具合が生じることがある。
【０００７】
本発明は、このような点に鑑みてなされたものであり、その目的とするところは、両面テープを確実に密着させて防水性を確保することにある。
【課題を解決するための手段】
【０００８】
上記の目的を達成するために、この発明では、両面テープを圧着可能なクリアランスを確保するようにした。
【０００９】
具体的には、第１の発明では、
表示部が収容される正面側キャビネットと、
上記正面側キャビネットを背面側から覆う背面側キャビネットと、
上記正面側キャビネットの周縁に沿って設けられ、該正面側キャビネット及び上記背面側キャビネットを接着する両面テープが貼り付けられるテープ貼付部と、
上記正面側キャビネットの周縁に沿って上記テープ貼付部の外周側に設けられ、上記背面側キャビネットの周壁先端に対向する平坦部とを備え、
上記正面側キャビネットと上記背面側キャビネットとを貼り合わせた状態で上記周壁先端と上記平坦部との間に上記両面テープを密着可能な必要圧縮厚さよりも大きな隙間が形成されている。
【００１０】
上記の構成によると、正面側キャビネットと背面側キャビネットとの突き合わせ部分でクリアランスを両面テープの必要圧縮厚さよりも大きくとることで、両面テープの密着性が確保され、防水性が保たれる。また、クリアランスを十分にとることで、製品の製造誤差等があるときに両面テープを十分に押さえ付けられずに防水性が低下するという不具合を避けることができる。なお、両面テープの必要圧縮厚さは、両面テープが正面側キャビネットと背面側キャビネットとを密着させるのに必要な厚さのことであり、正面側キャビネット及び背面側キャビネットの材質、表面粗さ、両面テープの材質等により異なる。
【００１１】
第２の発明では、第１の発明において、
上記平坦部の内周側は、背面側へ隆起して正面側段差部が形成され、
上記背面側キャビネットの周壁先端における上記正面側段差部に対向する位置は一段低く凹陥されて該正面側段差部に嵌合可能な背面側段差部が設けられている。
【００１２】
上記の構成によると、クリアランスをとることで、両面テープの接着後にも両面テープに含まれる発泡層等の復元力により隙間が残るが、両キャビネットの突き合わせ部分に段差部をそれぞれ設けることで、隙間の奥が正面側段差部の一段高くなった部分で隠れるので、見映えがよい。
【００１３】
第３の発明では、第１又は第２の発明において、
正面視で上記両面テープの貼付位置は、表示部のディスプレイユニットとずれた位置に設定されている。
【００１４】
上記の構成によると、両面テープの密着性を高めるために正面側キャビネットと背面側キャビネットとを十分に圧縮させる必要があるが、圧縮力に弱いディスプレイユニットが両面テープの貼付位置とずれた位置にあるので、ディスプレイユニットの損傷が防止される。
【発明の効果】
【００１５】
以上説明したように、本発明によれば、正面側キャビネットと背面側キャビネットとを貼り合わせた状態で背面側キャビネットの周壁先端と正面側キャビネットの平坦部との間に両面テープの必要圧縮厚さよりも大きな隙間を形成したことにより、両面テープを確実に密着させて防水性を確保することができる。
【図面の簡単な説明】
【００１６】
【図１】図２のＩ−Ｉ線拡大断面図である。
【図２】本発明の実施形態に係る携帯端末を示す正面図である。
【図３】携帯端末を背面側から見た分解斜視図である。
【図４】携帯端末を正面側から見た分解斜視図である。
【図５】正面側キャビネットの背面図である。
【図６】背面側キャビネットの正面図である。
【図７】図５のVII部拡大図である。
【図８】図６のVIII部拡大図である。
【発明を実施するための形態】
【００１７】
以下、本発明の実施形態を図面に基づいて説明する。
【００１８】
図２は本発明の実施形態の携帯端末１を示し、この携帯端末１は、例えば、通信機能を有するタブレット型コンピューターよりなり、表示部２が収容される矩形板状の正面側キャビネット３を備えている。図１、図３及び図４に示すように、表示部２は、正面側から飛散防止フィルム２ａ、タッチパネルガラス２ｂ、タッチパネルテープ２ｃ、ＯＣＡテープ２ｄ、液晶ディスプレイ２ｅ、バックライト２ｆ、ベゼル２ｇの積層構造からなる。
【００１９】
正面側キャビネット３は、例えば樹脂成形品よりなり、図１に示すように、飛散防止フィルム２ａが貼り付けられたタッチパネルガラス２ｂをタッチパネルテープ２ｃで貼り付けるためのカバー取付部３ａが正面側に凹陥されている。その内周側（画面中心側）には、タッチパネルガラス２ｂにＯＣＡテープ２ｄによって貼り付けられたディスプレイユニット（液晶ディスプレイ２ｅ、バックライト２ｆ、ベゼル２ｇ）が収容される液晶収容部３ｂが凹陥されている。液晶収容部３ｂの底部の背面側には、例えばＬ字状のメイン基板５が基板固定テープ６にて貼り付けられている。
【００２０】
正面側キャビネット３は、背面側から矩形皿状の背面側キャビネット４で覆われている。背面側キャビネット４は、例えば樹脂成形品よりなる。
【００２１】
また、メイン基板５を避けるように矩形板状の充電池７が収容されている。詳しくは説明しないが、この充電池７は、例えば格子状の充電池テープ７ａによって背面側キャビネット４の正面側に貼り付けられている。
【００２２】
図５及び図７に示すように、正面側キャビネット３の周縁には、この正面側キャビネット３と背面側キャビネット４とを接着する両面テープ８が貼り付けられるテープ貼付部９が矩形枠状に背面側に向かって突設されている。このテープ貼付部９の背面は、連続する平坦な平坦面となっており、両面テープ８の幅よりも若干幅が広くなっている。両面テープ８は、防水性を有する両面テープよりなり、通常圧縮可能な発泡層等を含む。
【００２３】
図１に示すように、テープ貼付部９の側面９ａは、携帯端末１の側面よりも若干内周側に奥まっている。正面側キャビネット３の周縁に沿ってテープ貼付部９の外周側に正面側へ凹むように平坦部３ｃが連続して設けられている。この平坦部３ｃは、内周側よりも一段低くなっており、平坦部３ｃの内周側（図１の右側）は、背面側へ隆起することにより正面側段差部３ｄが形成されている。
【００２４】
また、携帯端末１は、例えばメインアンテナ１０とサブアンテナ１１とを有し、これらは、それぞれテープ貼付部９の内周側に形成したアンテナ収容部１２に収容され、図示しないケーブルでメイン基板５に接続されている。
【００２５】
そして、図６及び図８に示すように、背面側キャビネット４の正面には、テープ貼付部９の内周側にテープ貼付部９に沿って離散的に突条１３が正面に向かって立設されている。突条１３の高さは特に限定されないが、周壁４ａに比べて格段に低くてもよい。複数の突条１３が並んでいる部分には、２つの突条１３間に隙間よりなる嵌合部１４が形成されている。図５及び図７に示すように、この嵌合部１４と、突条１３の長手方向両端に対応する部分とには、嵌合部１４に挿入され、又は、突条１３を両側から挟む突起１５が突設されている。また、突条１３の配置位置には特に制限はないが、少なくともメインアンテナ１０の周辺とサブアンテナ１１との周辺に配置されている。
【００２６】
一方、背面側キャビネット４の周壁先端４ｂにおける正面側段差部３ｄに対向する位置には、正面側段差部３ｄに嵌合するように一段低くなって背面側段差部４ｃが形成されている。
【００２７】
そして、正面側キャビネット３と背面側キャビネット４とを貼り合わせた状態で周壁先端４ｂと平坦部３ｃとの間に両面テープ８の必要圧縮厚さよりも大きな隙間Ｃが形成されている。なお、この両面テープ８の必要圧縮厚さは、両面テープ８が正面側キャビネット３と背面側キャビネット４とを密着させるのに必要な厚さのことであり、正面側キャビネット３及び背面側キャビネット４の材質、表面粗さ、両面テープ８の材質等により異なる。例えば、両面テープ８の発泡層の厚さよりも隙間Ｃを大きくすればよい。
【００２８】
そして、正面視で両面テープ８の貼付位置は、表示部２のディスプレイユニット（液晶ディスプレイ２ｅ、バックライト２ｆ、ベゼル２ｇ）とずれた位置に設定されている。
【００２９】
また、図１に示すように、テープ貼付部９は、背面側キャビネット４の周壁４ａと突条１３とで挟み込まれ、その挟み込まれた部分で両面テープ８により、テープ貼付部９の背面と背面側キャビネット４の正面とが接着されている。これにより、正面側キャビネット３と背面側キャビネット４との間の防水性も確保されている。
【００３０】
正面側キャビネット３と背面側キャビネット４とを組み付ける際には、両面テープ８の密着性を高めるために、正面側キャビネット３と背面側キャビネット４とを十分に圧縮させる必要があるが、圧縮力に弱いディスプレイユニットが貼付位置とずれた位置にあるので、ディスプレイユニットの損傷が防止される。そして、正面側キャビネット３と背面側キャビネット４との突き合わせ部分でクリアランス（隙間Ｃ）を両面テープ８の必要圧縮厚さよりも大きくとることで、両面テープ８を十分に密着させることができ、防水性が保たれる。また、クリアランスを十分にとることで、製品の製造誤差等があっても両面テープ８を十分に押さえ付けられなくて防水性が低下するという不具合を避けることができる。
【００３１】
そして、両面テープ８が貼り付けられる、正面側キャビネット３のテープ貼付部９が、背面側キャビネット４の突条１３と周壁４ａとで挟み込まれるので、両面テープ８周辺での正面側キャビネット３と背面側キャビネット４との間の滑りが防止される。このため、触った感じの違和感がない。また、突条１３と周壁４ａとで確実に挟み込むので、強度が向上し、落下時等に破損しにくい。しかも、嵌合部１４に突起１５が挿入され、突条１３の両端が突起１５で挟まれるので、突条１３に沿う方向の正面側キャビネット３と背面側キャビネット４との間のずれを防止でき、さらなる強度アップ及び触感の悪化防止を図ることができる。また、突条１３を背面側キャビネット４に収容されるメインアンテナ１０の周辺とサブアンテナ１１の周辺とに配置したので、衝撃に弱いアンテナ部材が効果的に保護される。
【００３２】
クリアランス（隙間Ｃ）をとることで、両面テープ８の接着後にも発泡層等の復元力により隙間Ｃが残るが、突き合わせ部分に段差部をそれぞれ設けることで、隙間Ｃの奥が正面側段差部３ｄの一段高くなった部分で隠れるので見映えがよい。
【００３３】
以上説明したように、本発明によれば、両面テープ８を確実に密着させて防水性を確保することができる。
【００３４】
（その他の実施形態）
本発明は、上記実施形態について、以下のような構成としてもよい。
【００３５】
すなわち、上記実施形態では、携帯端末１は、タブレット型コンピューターとしたが、携帯電話機、ＰＨＳ（Personal Handy-phone System ）、ＰＤＡ(Personal Digital Assistant)、スマートフォン、ノートパソコン、モバイルツール、電子辞書、電卓、ゲーム機等であってもよい。
【００３６】
なお、以上の実施形態は、本質的に好ましい例示であって、本発明、その適用物や用途の範囲を制限することを意図するものではない。
【産業上の利用可能性】
【００３７】
以上説明したように、本発明は、タブレット型コンピューターなどの携帯端末について有用である。
【符号の説明】
【００３８】
１      携帯端末
２      表示部
２ａ    飛散防止フィルム
２ｂ    タッチパネルガラス
２ｃ    タッチパネルテープ
２ｄ    ＯＣＡテープ
２ｅ    液晶ディスプレイ（ディスプレイユニット）
２ｆ    バックライト（ディスプレイユニット）
２ｇ    ベゼル（ディスプレイユニット）
３      正面側キャビネット
３ａ    カバー取付部
３ｂ    液晶収容部
３ｃ    平坦部
３ｄ    正面側段差部
４      背面側キャビネット
４ａ    周壁
４ｂ    周壁先端
４ｃ    背面側段差部
５      メイン基板
６      基板固定テープ
７      充電池
７ａ    充電池テープ
８      両面テープ
９      テープ貼付部
９ａ    側面
１０      メインアンテナ
１１      サブアンテナ
１２      アンテナ収容部
１３      突条
１４      嵌合部
１５      突起
Ｃ      隙間
【図１】
2014032587.tif 000003
【図２】
2014032587.tif 000004
【図３】
2014032587.tif 000005
【図４】
2014032587.tif 000006
【図５】
2014032587.tif 000007
【図６】
2014032587.tif 000008
【図７】
2014032587.tif 000009
【図８】
2014032587.tif 000010